(57)【要約】【課題】空気調和機の主電源のリセットを、手動操作ですることなく、手元や遠隔装置からする。【解決手段】空気調和機の主電源を開閉する電源スイッチ３と、商用電源を直流電源に変換する直流電源回路４と、主電源オン時に前記直流電源から受電し充電する蓄電回路５と、充電回路を備えたリモコン６と、リモコン受信回路７と、前記リモコン受信回路からの指令を受け、開閉命令を送信する開閉命令手段８と、前記開閉命令手段からの指令を受け、電源スイッチ３の開閉動作をさせるスイッチ操作手段９と、空気調和機全体を制御する制御回路１０とを備え、蓄電回路５がリモコン受信回路７と開閉命令手段８とスイッチ操作手段９の電源を蓄電するため、電源が遮断されていてもリモコンからの運転信号により、電源スイッチ３をオンさせるように構成する。【選択図】図１
2006177607.tif 000002
【特許請求の範囲】
【請求項１】
空気調和機に電源を供給する商用電源を受電し、空気調和機の主電源を開閉する電源スイッチと、前記電源スイッチから供給される商用電源を直流電源に変換する直流電源回路と、主電源がオン時に前記直流電源から受電し、充電する蓄電回路と、充電回路を備えたリモコンと、前記リモコンからの指令を受け、開閉指令を送信するリモコン受信回路と、前記リモコン受信回路からの指令を受け、開閉命令を送信する開閉命令手段と、前記開閉命令手段からの指令を受け、前記電源スイッチの開閉動作をさせるスイッチ操作手段と、空気調和機全体を制御する制御回路とを備え、前記蓄電回路が前記リモコン受信回路と、前記開閉命令手段と、スイッチ操作手段の電源を蓄電するため、電源が遮断されていても前記リモコンからの運転信号により、前記電源スイッチをオンさせるように構成したことを特徴とする空気調和機。
【請求項２】
リモコン受信回路は、リモコンからのパルス信号が、所定時間を超えたときのみに検知するパルス検出手段を備えたことを特徴とする、請求項１に記載の空気調和機。
【請求項３】
電源スイッチが遮断中に表示させる表示手段を備えたことを特徴とする、請求項１に記載の空気調和機。
【請求項４】
電源スイッチの開閉を遠隔制御装置からの指令を受ける遠隔制御受信回路を備えたことを特徴とする、請求項１に記載の空気調和機。
【請求項５】
蓄電回路の有効、無効を切り換えることのできる蓄電切換手段を備えたことを特徴とする、請求項１に記載の空気調和機。
【請求項６】
空気調和機に電源を供給する商用電源を受電し、空気調和機の主電源を開閉する電源スイッチと、前記電源スイッチから供給される商用電源を直流電源に変換する直流電源回路と、主電源がオン時に前記直流電源から受電し、充電する蓄電回路と、電源の開閉を指示する電源遮断用指示手段と、充電回路を備えたリモコンと、前記リモコンからの指令を受け、開閉指令を送信するリモコン受信回路と、前記リモコン受信回路からの指令を受け、開閉命令を送信する開閉命令手段と、前記開閉命令手段からの指令を受け、前記電源スイッチの開閉動作をさせるスイッチ操作手段と、空気調和機全体を制御する制御回路とを備え、前記蓄電回路が前記リモコン受信回路と、前記開閉命令手段と、スイッチ操作手段の電源を蓄電しており、主電源の開閉操作を必要な時にだけ送信するように構成したことを特徴とする空気調和機。
【請求項７】
電源の遮断を音で知らせる警告音装置を備えたことを特徴とする、請求項６に記載の空気調和機。
【請求項８】
請求項１〜７に記載の単数または複数の制御を搭載した空気調和機。
【発明の詳細な説明】
【技術分野】
【０００１】
本発明は、リモコン及び、遠隔制御装置からの制御を行うことができる空気調和機に関するものである。
【背景技術】
【０００２】
従来、この種の空気調和機としては、例えば図８に記載されているようなものがあった。
【０００３】
図８において機器使用者がワイヤレスリモートコントローラ１０６使用し、停止操作をすると、ワイヤレスリモコン受信回路１０５を経由し室内制御回路１０３に運転停止の指令が入力され、室内制御回路１０３はこの指令を受けて室内機１１０、及び、室外機１１１の運転を停止すると同時に運転停止からの時間を計測開始し、計測時間が設定された時間に達すると室内制御回路１０３はスイッチ遮断手段１１３に対し電源遮断の信号を出し、スイッチ遮断手段１１３が信号を受けて電源スイッチ１１２の接点を遮断し、空気調和機の全ての動作を停止させ、ワイヤレスリモートコントローラ１０６の操作も受信不能となり、再運転時には機器の使用者が室内機の電源スイッチ１１２を手動操作し電源再投入を行っていた（例えば、特許文献１参照）。
【特許文献１】特開２０００−１２１１２５号公報
【発明の開示】
【発明が解決しようとする課題】
【０００４】
しかしながら、前記従来の構成では、ワイヤレスリモートコントローラの停止操作で遮断時間を計測し、計測時間に到達すると電源スイッチが遮断され、ワイヤレスリモートコントローラの操作も受信不能となり、再運転時には機器の使用者が室内機の電源スイッチを手動操作し電源再投入していたため、再運転時に電源スイッチの再投入操作が必要な機会が多くなり、利便性を損なうという課題を有していた。
【０００５】
本発明は、前記従来の課題を解決するもので、再運転時にも機器利用者が手動操作で主電源を再投入しなくても運転することができる空気調和機を提供することを目的とする。
【課題を解決するための手段】
【０００６】
前記従来の課題を解決するために、本発明の空気調和機は、電源部に蓄電回路を設けたことにより、手動操作することなく主電源を開閉することができる。
【発明の効果】
【０００７】
本発明の空気調和機は、運転停止時の無駄な電力消費を無くすことができ、また手元や遠隔からでも主電源のリセットをすることができるため、設置工事時や、サービスの時にでも容易に工事することができる。
【発明を実施するための最良の形態】
【０００８】
第１の発明は、空気調和機に電源を供給する商用電源を受電し、空気調和機の主電源を開閉する電源スイッチと、前記電源スイッチから供給される商用電源を直流電源に変換する直流電源回路と、主電源がオン時に前記直流電源から受電し、充電する蓄電回路と、充電回路を備えているリモコンと、リモコンからの指令を受け、開閉指令を送信するリモコン受信回路と、前記リモコン受信回路からの指令を受け、開閉命令を送信する開閉命令手段と、前記開閉命令手段からの指令を受け、前記電源スイッチの開閉動作をさせるスイッチ操作手段と、空気調和機全体を制御する制御回路とを備え、前記蓄電回路が前記リモコ
ン受信回路と、前記開閉命令手段と、スイッチ操作手段の電源を蓄電するため、電源が遮断されていても前記リモコンからの運転信号により、前記電源スイッチをオンさせることができ、主電源の手動操作をすることなくリモコンからの運転、停止で電源をリセットすることができ、運転停止時の無駄な電力消費を無くすことができ、また設置工事時や、サービスの時にでも容易に工事することができる。
【０００９】
第２の発明は、特に第１の発明のリモコン受信回路において、リモコンからのパルス信号が、所定時間を超えたときのみに検知するパルス検出手段を備えたことにより、機器使用者がリモコンの誤作動をしたときにでも、誤動作防止することができる。
【００１０】
第３の発明は、特に、第１の発明の電源スイッチが遮断中に表示させる表示手段を備えたことにより、電源が遮断中でも表示するため、機器使用者に表示にて知らせることができる。
【００１１】
第４の発明は、特に、第１の発明の電源スイッチの開閉を遠隔制御装置からの指令を受ける、遠隔制御受信回路を備えたことにより、遠隔制御装置からの運転停止時の無駄な電力消費を無くすことができる。なお、本発明は空気調和機が複数台接続される遠隔制御装置にも適用することができる。
【００１２】
第５の発明は、特に、第１の発明の蓄電回路の有効、無効を切り換えることのできる電切換手段を備えたことにより、リモコンからの電源遮断有効、無効を切り換えることができる。
【００１３】
第６の発明は、空気調和機に電源を供給する商用電源を受電し、空気調和機の主電源を開閉する電源スイッチと、前記電源スイッチから供給される商用電源を直流電源に変換する直流電源回路と、主電源がオン時に前記直流電源から受電し、充電する蓄電回路と、充電回路を備えており、電源の開閉操作を指示する、電源遮断用指示手段を備えたリモコンと、前記リモコンからの指令を受け、開閉指令を送信するリモコン受信回路と、前記リモコン受信回路からの指令を受け、開閉命令を送信する開閉命令手段と、前記開閉命令手段からの指令を受け、前記電源スイッチの開閉動作をさせるスイッチ操作手段と、空気調和機全体を制御する制御回路とを備え、前記蓄電回路が前記リモコン受信回路と、前記開閉命令手段と、スイッチ操作手段の電源を蓄電しており、電源の開閉を指示する電源遮断用指示手段を備えたリモコンから、設置工事時やサービス時の主電源の開閉操作を必要な時にだけすることができる。
【００１４】
第７の発明は、特に、第６の発明の電源の遮断を音で知らせる警告音装置を備えることにより、設置工事時やサービス時の主電源の切り忘れを防止することができる。
【００１５】
第８の発明は、特に、第１〜７に記載の単数または複数の制御を搭載することにより、手動操作をすることなく、遠隔や手元から空気調和機全体の主電源を開閉することができ、運転停止時の無駄な電力消費を無くし、また設置工事時や、サービスの時にでも電源の遮断を切り忘れることなく容易に工事することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機１のブロック図を示すものである。
【００１８】
図１において、空気調和機１は、電源スイッチ３、直流電源回路４、蓄電回路５、リモコン６、リモコン受信回路７、開閉命令手段８、スイッチ操作手段９、制御回路１０から構成されている。
【００１９】
電源スイッチ３は、空気調和機１に電源を供給する商用電源２を受電し、空気調和機１の主電源を開閉するスイッチである。直流電源回路４は、電源スイッチ３から供給される商用電源２を直流電源に変換し低圧の直流電源を供給する。
【００２０】
蓄電回路５は、主電源がオン時に直流電源から受電し、充電することで主電源がオフしても、充電部５−ａに電源を供給することができる。
【００２１】
リモコン６は電源スイッチ３の開閉指示を空気調和機１の運転オン、オフで送信する。
【００２２】
リモコン受信回路７はリモコン６の受信回路であり、電源スイッチ３の指令を送信する。
【００２３】
開閉命令手段８はリモコン受信回路７からの指令により、電源スイッチ３の操作の開閉命令を送信する。
【００２４】
スイッチ操作手段９は開閉命令手段８の開閉命令により、電源スイッチ３の開閉操作を行う。
【００２５】
以上のように構成された空気調和機１は、リモコン６からの運転オン指示で、電源スイッチ３がオンし、商用電源２が直流電源回路４に供給され、低圧の直流電源を蓄電回路５に供給し、蓄電回路５が直流電源を充電することで主電源がオフしても、充電部５−ａに電源を供給することができるため、主電源の手動操作をすることなくリモコンからの運転、停止で電源をリセットすることができ、運転停止時の無駄な電力消費を無くすことができ、また設置工事時や、サービスの時にでも容易に工事することができる。
【００２６】
（実施の形態２）
図２は、本発明の第２の実施の形態における空気調和機１のブロック図を示すものである。
【００２７】
図２において、実施の形態１で説明した部分については同じ符号を用い説明を省略する。
パルス検出手段１１は、リモコン６からのパルス信号が、所定時間を超えたときのみに検知する。
【００２８】
以上のように構成された空気調和機１は、パルス検出手段１１をリモコン受信回路７に備えることにより、リモコン６からのパルス信号が、所定時間を超えたときのみに検知し、開閉命令手段８に電源開閉指令を送信し、機器使用者がリモコンの誤作動をしたときにでも、誤動作防止することができる。
【００２９】
（実施の形態３）
図３は、本発明の第３の実施の形態における空気調和機１のブロック図を示すものである。
【００３０】
図３において、実施の形態１で説明した部分については同じ符号を用い説明を省略する。
【００３１】
表示手段１２は、電源スイッチ３が遮断中にでも開閉命令手段８からの指示で表示する。
【００３２】
以上のように構成された空気調和機１は、電源スイッチ３が遮断中でも表示するため、機器使用者に表示にて知らせることができる。
【００３３】
（実施の形態４）
図４は、本発明の第４の実施の形態における空気調和機１のブロック図を示すものである。図４において、実施の形態１で説明した部分については同じ符号を用い説明を省略する。
【００３４】
遠隔制御受信回路１４は、電源スイッチ３の開閉を遠隔制御装置１３からの指令を受ける。
【００３５】
以上のように構成された空気調和機１は、遠隔制御装置１３からの運転停止時でも、無駄な電力消費を無くすことができる。
【００３６】
（実施の形態５）
図５は、本発明の第５の実施の形態における空気調和機１のブロック図を示すものである。
【００３７】
図５において、実施の形態１で説明した部分については同じ符号を用い説明を省略する。
【００３８】
蓄電切換手段１５は、蓄電回路５の有効、無効を切り換えることのできる切換手段である。
【００３９】
以上のように構成された空気調和機１は、リモコン６からの電源遮断有効、無効を切り換えることができる。
【００４０】
（実施の形態６）
図６は、本発明の第６の実施の形態における空気調和機１のブロック図を示すものである。
【００４１】
図６において、空気調和機１は、電源スイッチ３、直流電源回路４、蓄電回路５、リモコン６、リモコン受信回路７、開閉命令手段８、スイッチ操作手段９、制御回路１０、電源遮断用指示手段１６を備えたリモコン６から構成されている。
【００４２】
電源スイッチ３は、空気調和機１に電源を供給する商用電源２を受電し、空気調和機の主電源を開閉するスイッチである。直流電源回路４は、電源スイッチ３から供給される商用電源２を直流電源に変換し低圧の直流電源を供給する。
【００４３】
蓄電回路５は、主電源がオン時に直流電源から受電し、充電することで主電源がオフしても、充電部５−ａに電源を供給することができる。
【００４４】
リモコン６は充電回路を備えており、電源遮断用指示手段１６を備え、電源スイッチ３の開閉指示を送信する。
【００４５】
リモコン受信回路７はリモコン６の受信回路であり、電源スイッチ３の指令を送信する。開閉命令手段８はリモコン受信回路７からの指令により、電源スイッチ３の操作の開閉
命令を送信する。スイッチ操作手段９は開閉命令手段８の開閉命令により、電源スイッチ３の開閉操作を行う。
【００４６】
以上のように構成された空気調和機１は、電源遮断用指示手段１６を備えたリモコン６からの電源遮断指示で、電源スイッチ３を開閉操作し、商用電源２が直流電源回路４に供給され、低圧の直流電源を蓄電回路５に供給し、蓄電回路５が直流電源を充電することで主電源がオフしても、充電部５−ａに電源を供給することができるため、主電源の手動操作をすることなく電源遮断用指示手段１６を備えたリモコン６からの開閉指令で電源をリセットすることができ、設置工事時やサービス時の主電源の開閉操作が必要な時にだけすることができる。
【００４７】
（実施の形態７）
図７は、本発明の第７の実施の形態における空気調和機１のブロック図を示すものである。
【００４８】
図７において、実施の形態６で説明した部分については同じ符号を用い説明を省略する。
【００４９】
警告音装置１７は電源遮断時に音により知らせることができる。
【００５０】
以上のように構成された空気調和機１は、設置工事時やサービス時の主電源の切り忘れを防止することができる。
【産業上の利用可能性】
【００５１】
以上のように、本発明にかかる空気調和機は、リモコンや遠隔制御装置からの電源開閉指令により主電源をリセットできるので、リモコンや遠隔制御装置から制御をされる恐れのあるものにも適用できる。
【図面の簡単な説明】
【００５２】
【図１】本発明の実施の形態１における空気調和機のブロック図
【図２】本発明の実施の形態２における空気調和機のブロック図
【図３】本発明の実施の形態３における空気調和機のブロック図
【図４】本発明の実施の形態４における空気調和機のブロック図
【図５】本発明の実施の形態５における空気調和機のブロック図
【図６】本発明の実施の形態６における空気調和機のブロック図
【図７】本発明の実施の形態７における空気調和機のブロック図
【図８】従来の空気調和機の構成を示すブロック図
【符号の説明】
【００５３】
１  空気調和機
２  商用電源
３  電源スイッチ
４  直流電源回路
５  蓄電回路
６  リモコン
７  リモコン受信回路
８  開閉命令手段
９  スイッチ操作手段
１０  制御回路
１１  パルス検出手段
１２  遠隔制御装置
１３  警告音装置
１４  遠隔制御受信回路
１５  蓄電切換手段
１６  電源遮断用指示手段
１７  警告音装置
１０１  商用電源
１０２  直流電源回路
１０３  室内制御回路
１０４  室外制御回路
１０５  ワイヤレスリモコン受信回路
１０６  ワイヤレスリモートコントローラ
１０７−ａ  室内変復調回路
１０７−ｂ  室外変復調回路
１０８  接続線
１０９  接続線
１１０  室内機
１１１  室外機
１１２  電源スイッチ
１１３  スイッチ遮断手段
【図１】
2006177607.tif 000003
【図２】
2006177607.tif 000004
【図３】
2006177607.tif 000005
【図４】
2006177607.tif 000006
【図５】
2006177607.tif 000007
【図６】
2006177607.tif 000008
【図７】
2006177607.tif 000009
【図８】
2006177607.tif 000010